(57)【要約】 【課題】本考案はアドレス時に目標方向へ向けて正しい位置にセット出来ると共にホールインしたゴルフボールを立ったまま取出すことが簡単に出来るゴルフパターを提供することを目的とする。【解決手段】パターヘッド１には少なくとも、その上面11に三角形の目印部２を設け、該目印部２の三角形の頂点21をパターヘッド１のフェース面12の上辺中央或いは多少外側に位置させ、且つ三角形の底辺22をフェース面12と平行に位置させるものとする。またパターヘッド１の外形の大きさをホールカップよりも小さく形成すると共にその裏面側には、ゴルフボールよりも大きく形成した溝穴３或いは有底な穴を穿設し、且つゴルフボールが支持されるための支持部を少なくとも２箇所設けると良い。【選択図】図１
0003109244.tif 000002
【実用新案登録請求の範囲】
【請求項１】
パターヘッド（１）には少なくとも、その上面（11）に三角形の目印部（２）を設け、該目印部（２）の三角形の頂点（21）を前記パターヘッド（１）のフェース面（12）の上辺略中央に位置させ、且つ三角形の底辺（22）を前記フェース面（12）と平行に位置させたことを特徴とするゴルフパター。
【請求項２】
前記目印部（２）の三角形の頂点（21）が、前記パターヘッド（１）の中央より多少外側に位置させた請求項１記載のゴルフパター。
【請求項３】
前記パターヘッド（１）の外形の大きさをホールカップよりも小さく形成すると共にその裏面（13）側には、ゴルフボール（７）よりも大きく形成した溝穴（３）を穿設し、且つゴルフボール（７）が支持されるための支持部（４）を少なくとも２箇所設けた請求項１記載のゴルフパター。
【請求項４】
前記パターヘッド（１）の外形の大きさをホールカップよりも小さく形成すると共にその裏面（13）側には、ゴルフボール（７）よりも大きく形成した有底な穴（５）を穿設し、且つゴルフボール（７）が支持されるための支持部（４）を少なくとも２箇所突設させた請求項１記載のゴルフパター。
【考案の詳細な説明】
【技術分野】
【０００１】
本考案は安定した方向性が得られるゴルフパターに関する。
【背景技術】
【０００２】
従来の一般的なゴルフパターは、目標方向に向けて正しいフェース面を決める場合、フェース面を目標方向に向けて直角に当るようにセットしていた。この時、ゴルフパターの色はグレーや黒色等のものが多かった。また目標方向に向けて目安となるものとしては、フェース面に対して直角に線を入れたものや、パターヘッド上面にゴルフボールを２個並べて表示したものなどがあった。
【０００３】
一方、ボールキャッチできる従来の機能パターとしては、ゴルフボールを押入れるために丸穴をフェース面の後方に設けたものがあり、これを使用する時にはパターヘッドをホールカップに入れ、それを上から押えてゴルフボールが丸穴で支持され、パターヘッドを持上げればゴルフボールも持上げられるものであった。またゴルフボールを取出す時には上又は下から指で押出して使用されていた。
【０００４】
しかしながら前記ゴルフパターは、上面の色がグレーや黒色等のものが多いため、芝生の色に対して、パターヘッドの上面との色の濃淡が小さいため、芝生との区別が付きにくく、目標方向に向けてフェース面を直角にセットすることが難しいものであった。特に高齢者は高齢になるに従って明るさに対する反応が衰えてくるため、目標方向に向けてフェース面を直角にセットすることがより難しいものとなっていた。他方、フェース面に対して直角に線を入れたものや２個のゴルフボールを並べて表示したものは、目標物に対して先端の線やゴルフボールを合せることは容易に出来るが、線全体或いは２個のゴルフボールの中心線全体が目標物に向けて一直線上に合せられているか否かは判断しにくく、それらのフェース面が目標方向に向けて直角にセットされているか否かが正確に分らず、イメージでセットしているのが現状であった。
【０００５】
又、前記機能パターは上部には穴が必ず開いた形のゴルフパターであるため、デザインに制限があると共に、ゴルフボールを押入れる際に丸い形の中へ押入れるが、外気温度によりゴルフボールの大きさが変わるため、押入れる力が大きくなると、ゴルフボールを取出す際に大きな力が必要となるため取出しにくくなると共にゴルフボールに傷が付き易くなる。一方、押入れる力が小さくなると、ゴルフボールが上に通り抜け易くなると共にパターヘッドを持上げる際にゴルフボールが落下し易くなってしまうのが現状であった。
【特許文献１】なし
【考案の開示】
【考案が解決しようとする課題】
【０００６】
本考案はアドレス時に目標方向へ向けて正しい位置にセット出来るゴルフパターを提供することを目的とする。
【０００７】
本考案の他の目的は、ホールインしたゴルフボールを立ったまま取出すことが簡単に出来るゴルフパターを提供するにある。
【課題を解決するための手段】
【０００８】
本考案は上記現状に鑑み成されたものであり、つまり、パターヘッドには少なくとも、その上面に大きな三角形の目印部を設け、該目印部の三角形の頂点をパターヘッドのフェース面の上辺中央或いは多少外側に位置させ、且つ三角形の底辺をフェース面と平行に位置させる構造とする。またパターヘッドの外形の大きさをホールカップよりも小さく形成すると共にその裏面側には、ゴルフボールよりも大きく形成した溝穴或いは有底な穴を穿設し、且つゴルフボールが支持されるための支持部を少なくとも２箇所設けると良い。尚、本考案で言う「三角形」は、単なるゴルフボールを当てる目印だけの小さなものではなく、三角形の底辺が、フェース面に平行な方向の全体寸法に対して三分の一以上の長さを有した大きなものを指す。
【考案の効果】
【０００９】
請求項１のようにパターヘッド（１）には少なくとも、その上面（11）に三角形の目印部（２）を設け、該目印部（２）の三角形の頂点（21）をパターヘッド（１）のフェース面（12）の上辺略中央に位置させ、且つ三角形の底辺（22）をフェース面（12）と平行に位置させることにより、先ず三角形の頂点（21）で目標方向へフェース面（12）を向け、次に三角形の底辺（22）を目視で目標方向に対して直角に合せることが簡単に行えるため、アドレス時にフェース面（12）を目標方向に対して直角に向けた正しい位置にセット出来るものとなる。更に三角形の目印部（２）を見ることで、方向，直進性，動きの促進性のイメージを持つことができ、且つ三角形の形を動的に視認することが可能となり、ホールカップに向ってフォローをイメージすることが出来るため、練習時は元よりコースに出てのラウンド時の場合にも、パッティング時のスイングが正しく行えているか否かが自身で直ぐに分かるものとなり、パッティング時のスイングの横振れを目で認識できるようにしてスイングの矯正が直ちに行えるスイングの安定性や方向維持性に優れているゴルフパターを提供することが可能となる。特に高齢者であっても三角形が大きく目立つため、目標方向へ向けてフェース面（12）を正しい位置にセット出来るのである。
【００１０】
請求項２のように目印部（２）の三角形の頂点（21）をパターヘッド（１）の中央より多少外側に位置させることにより、実験結果から三角形の目印部（２）全体がより二等辺三角形に見えるため、より正確なアドレスが可能になる。
【００１１】
請求項３に示すようにパターヘッド（１）の外形の大きさをホールカップよりも小さく形成すると共にその裏面（13）側には、ゴルフボール（７）よりも大きく形成した溝穴（３）を穿設し、且つゴルフボール（７）が支持されるための支持部（４）を少なくとも２箇所設けることにより、ゴルフボール（７）を点と小さな面積の接触面で支えられるため、従来の如き外気温度によりゴルフボール（７）の大きさの変化による押入れる力や取出す力の変化が小さくなり、且つしっかり支えることができ、ゴルフボール（７）に傷を作る恐れやゴルフボール（７）が上に通り抜けてしまう恐れがなくなると共にゴルフボール（７）の取出しが容易になる。またホールインしたゴルフボール（７）を立ったまま簡単にボールキャッチが出来ると共に横側より指を入れてゴルフボール（７）を簡単に取出すことが出来るものとなる。更にパターヘッド（１）の上面（11）が平面で塞がっているため、従来の如きデザインの制限がなくなり、線や図形によるデザイン化が自由に出来るものとなった。
【００１２】
請求項４に示すようにパターヘッド（１）の裏面（13）側には、ゴルフボール（７）よりも大きく形成した有底な穴（５）を穿設し、且つゴルフボール（７）が支持されるための支持部（４）を少なくとも２箇所突設させることにより、請求項３と同様な効果が得られる。
【考案を実施するための最良の形態】
【００１３】
図１〜図４は本考案の実施形態を示す図であり、これに基づき説明する。(１)は外形の大きさがホールカップよりも小さく形成されると共に平らな上面（11）を有したゴルフパターのパターヘッドである。尚、前記パターヘッド（１）の裏面（13）側にゴルフボール（７）をキャッチする機能パターとして使用しない場合は、外形の大きさはホールカップよりも大きく形成するのが好ましい。（２）はパターヘッド（１）の上面（11）全体に渡って設けた略二等辺三角形の目印部であり、該目印部（２）の三角形の頂点（21）はパターヘッド（１）のフェース面（12）の上辺略中央に位置させ、且つ三角形の底辺（22）は前記フェース面（12）と平行に位置している。また前記目印部（２）の三角形は白色や明るい目立つ色の合成樹脂製の板材等で形成するか、或いはパターヘッド（１）の上面（11）に三角形を白色や明るい目立つ色の塗料で描示させると良い。この時の目印部（２）の三角形の頂点（21）は前記パターヘッド（１）の中央より多少外側に位置させると良く、好ましくはセンターラインから３ｍｍ程度ずらすのが良い。尚、前記中央より外側とは、ゴルフシャフト（６）と反対側を指す（図１、図２参照）。
【００１４】
（３）はパターヘッド（１）の裏面（13）側に穿設した溝穴であり、該溝穴（３）の大きさはゴルフボール（７）よりも大きく形成する。（４）はゴルフボール（７）が支持されるために２箇所突設した支持部であり、該支持部（４）は図４に示すようにパターヘッド（１）の下方に設けた湾曲面を有するものであるが、パターヘッド（１）の下方だけでなく、上方までとしても良く、且つ支持部（４）は図３のように２箇所突設させるだけでなく、それ以上に突設させ、且つ湾曲面でなく図６に示すような突出曲面としても良い。
【００１５】
図５、図６は他の実施形態を示す図であり、これは前記実施形態と比べ、パターヘッド（１）の形状がＤ形状で且つ円盤状であり、且つパターヘッド（１）の裏面（13）側には、ゴルフボール（７）よりも大きく形成した有底な穴（５）が穿設され、該穴（５）の内側には、ゴルフボール（７）を支持するための支持部（４）が２箇所突設されている。他は同じである。尚、前記支持部（４）は２箇所突設させるだけでなく、それ以上に突設させたものとしても良い。また前記目印部（２）の三角形の後方に、センターラインに沿って適宜幅の線を表示させても良い。
【００１６】
次に本考案の使用方法について説明する。先ずアドレスを行う場合について説明する。先ず始めゴルフシャフト（６）を握り、ゴルフボール（７）の中心に目印部（２）の三角形の頂点（21）を合せると共にその頂点（21）を目標物にも合せる。そして、三角形の底辺（22）が目標方向と直角になるように合せることにより、正しいアドレスが確保されるのである。その後、バックスイングし、パッティングを行えば、正確にゴルフボールを打つことが可能なものとなる。
【００１７】
次にホールインしたゴルフボール（７）をホールカップから立ったまま取出す場合について説明する。先ずパターヘッド（１）をホールカップの中に入れ、ゴルフボール（７）に接触したらパターヘッド（１）を軽く下方へ押すと、ゴルフボール（７）が自然に溝穴（３）或いは穴（５）に収まる（図３、図６参照）。この時、ゴルフボール（７）は２箇所の支持部（４）で支持されると共にフェース面（12）の裏面壁と当接する。その後、パターヘッド（１）をホールカップから引き上げ、横側から指を入れてゴルフボール（７）を取出せば、立ったまま簡単にゴルフボール（７）の取出しが行えるものとなる。従って、腰や膝が弱った人が本考案品を用いれば、腰や膝を曲げることなく、且つ立ったまま簡単にゴルフボール（７）の取出しが行えると共に素早くそれが行えるため、人に気づかうことなく気軽にゴルフプレーすることが可能となるのである。
【図面の簡単な説明】
【００１８】
【図１】本考案の実施形態を示す斜視図である。
【図２】図１の拡大平面図である。
【図３】図１の拡大底面を示す説明図である。
【図４】図１のＡ−Ａ断面を示す説明図である。
【図５】本考案の他の実施形態を示す斜視図である。
【図６】図５の拡大底面を示す説明図である。
【符号の説明】
【００１９】
１  パターヘッド
11  上面
12  フェース面
13  裏面
２  目印部
21  頂点
22  底辺
３  溝穴
４  支持部
５  穴
７  ゴルフボール
【図１】
0003109244.tif 000003
【図２】
0003109244.tif 000004
【図３】
0003109244.tif 000005
【図４】
0003109244.tif 000006
【図５】
0003109244.tif 000007
【図６】
0003109244.tif 000008